(57)【要約】ユーザデータ領域に関する情報が記録された情報保存媒体及びその記録及び／または再生方法が開示されている。この開示された情報保存媒体は、ユーザデータが記録されたユーザデータ領域の基本記録単位の前後領域のうち少なくとも何れか１つにユーザデータ領域に関する情報が記録されたことを特徴とする。また、開示された情報記録及び／または再生方法は、ユーザデータが記録されるユーザデータ領域の基本記録単位の前後領域のうち少なくとも何れか１つに記録されたユーザデータ領域に関する情報を再生する段階と、再生された情報を用いてユーザデータ領域に関する情報を認識する段階とを含むことを特徴とする。
2005531872.tif 000002
【特許請求の範囲】
【請求項１】
ユーザデータ領域を含む情報保存媒体であって、ユーザデータが記録されるユーザデータ領域に関する情報が基本記録単位の前にある領域と後にある領域のうち、少なくとも何れか１つに記録されたことを特徴とする情報保存媒体。
【請求項２】
前記ユーザデータ領域の基本記録単位は、物理的クラスター、エラー訂正コード（ＥＣＣ）ブロック、セクター及びフレームのうち、何れか１つであることを特徴とする請求項１に記載の情報保存媒体。
【請求項３】
前記ユーザデータ領域に関する情報は、前記物理的クラスターの前後に備えられるランイン及びランアウトのうち、少なくとも１箇所に記録されることを特徴とする請求項２に記載の情報保存媒体。
【請求項４】
前記情報保存媒体は、２層以上の情報保存層を備え、
前記ユーザデータ領域に関する情報がユーザデータ領域の基本記録単位の前後領域のうち少なくとも何れか１つに相異なる情報保存層各々に対して相異なるパターンで記録されることを特徴とする請求項３に記載の情報保存媒体。
【請求項５】
ユーザデータ領域に関する情報は、アドレスを用いて記録されることを特徴とする請求項３に記載の情報保存媒体。
【請求項６】
前記ユーザデータ領域に関する情報は、保存層情報であることを特徴とする請求項３に記載の情報保存媒体
【請求項７】
前記保存層情報は、アドレスを用いて記録されることを特徴とする請求項６に記載の情報保存媒体。
【請求項８】
前記情報保存媒体は、２層以上の情報保存層を備え、
前記ユーザデータ領域に関する情報がユーザデータ領域の基本記録単位の前後領域のうち少なくとも何れか１つに相異なる情報保存層各々に対して相異なるパターンで記録されることを特徴とする請求項１に記載の情報保存媒体。
【請求項９】
ユーザデータ領域に関する情報は、アドレスを用いて記録されることを特徴とする請求項１に記載の情報保存媒体。
【請求項１０】
ユーザデータ領域に関する情報は、保存層情報であることを特徴とする請求項１に記載の情報保存媒体。
【請求項１１】
前記保存層情報は、アドレスを用いて記録されることを特徴とする請求項１０に記載の情報保存媒体。
【請求項１２】
ユーザデータ領域を有する情報保存媒体にデータを記録及び／再生する方法であって、ユーザデータが記録されるユーザデータ領域に関する情報を基本記録単位の前後領域のうち少なくとも何れか１つより再生する段階と、
前記ユーザデータ領域に関する情報に基づいてデータを記録及び／再生する段階とを含むことを特徴とする情報保存媒体の記録及び／または再生方法。
【請求項１３】
前記ユーザデータ領域の基本記録単位は、物理的クラスター、ＥＣＣブロック、セクター及びフレームのうち何れか１つであることを特徴とする請求項１２に記載の情報保存媒体の記録及び／または再生方法。
【請求項１４】
前記ユーザデータ領域に関する情報は、前記物理的クラスターの前後に備えられるランイン及びランアウトのうち少なくとも１箇所に記録されることを特徴とする請求項１３に記載の情報保存媒体の記録及び／または再生方法。
【請求項１５】
前記情報保存媒体は、２層以上の情報保存層を備え、
前記ユーザデータ領域に関する情報がユーザデータ領域の基本記録単位の前後領域のうち、少なくとも何れか１つに相異なる情報保存層各々に対して相異なるパターンで記録されることを特徴とする請求項１３に記載の情報保存媒体の記録／再生方法。
【請求項１６】
ユーザデータ領域に関する情報は、アドレスを用いて記録されることを特徴とする請求項１３に記載の情報保存媒体の記録及び／または再生方法。
【請求項１７】
前記ユーザデータ領域に関する情報は、保存層情報であることを特徴とする請求項１３に記載の情報保存媒体の記録及び／または再生方法。
【請求項１８】
前記保存層情報は、アドレスを用いて記録されることを特徴とする請求項１７に記載の情報保存媒体の記録及び／または再生方法。
【請求項１９】
前記ユーザデータ領域の基本記録単位は物理的クラスターであり、前記ユーザデータ領域に関する情報は前記物理的クラスターの前後に備えられるランイン及びランアウトのうち、少なくとも１箇所に記録されることを特徴とする請求項１２に記載の情報保存媒体の記録及び／または再生方法。
【請求項２０】
前記情報保存媒体は２層以上の情報保存層を備え、
前記ユーザデータ領域に関する情報がユーザデータ領域の基本記録単位の前後領域のうち、少なくとも何れか１つに相異なる情報保存層各々に対して相異なるパターンで記録されることを特徴とする請求項１２に記載の情報保存媒体の記録／再生方法。
【請求項２１】
ユーザデータ領域に関する情報は、アドレスを用いて記録されることを特徴とする請求項１２に記載の情報保存媒体の記録及び／または再生方法。
【請求項２２】
前記ユーザデータ領域に関する情報は、保存層情報であることを特徴とする請求項１２に記載の情報保存媒体の記録及び／または再生方法。
【請求項２３】
前記保存層情報は、アドレスを用いて記録されることを特徴とする請求項２２に記載の情報保存媒体の記録及び／または再生方法。
【請求項２４】
前記情報保存媒体は、記録可能な情報保存媒体であることを特徴とする請求項１に記載の情報保存媒体。
【請求項２５】
前記情報保存媒体は、再生専用情報保存媒体であることを特徴とする請求項１に記載の情報保存媒体。
【請求項２６】
前記情報保存媒体は、記録可能な光ディスク及び再生専用光ディスクのうち、何れか１つであることを特徴とする請求項１に記載の情報保存媒体。
【請求項２７】
前記ユーザデータ領域に関する情報は、ＥＣＣブロックの少なくとも１つのアドレスを用いて記録されることを特徴とする請求項２に記載の情報保存媒体。
【請求項２８】
前記情報保存媒体は、再生専用情報保存媒体であることを特徴とする請求項３に記載の情報保存媒体。
【請求項２９】
前記それぞれの情報保存層は、リードイン領域、リードアウト領域及びユーザデータ領域を含むことを特徴とする請求項３に記載の情報保存媒体。
【請求項３０】
前記異なるパターンは、同じ間隔の相異なる連続的なパターンと相異なる間隔の異なるパターンのうち何れか１つであることを特徴とする請求項４に記載の情報保存媒体。
【請求項３１】
前記異なるパターンは、同じ間隔の相異なる連続的なパターンと相異なる間隔の異なるパターンのうち何れか１つであることを特徴とする請求項８に記載の情報保存媒体。
【請求項３２】
ユーザデータ領域を有する保存媒体を作動させる方法において、前記方法は、
ユーザデータが記録されるユーザデータ領域に関する情報を基本記録単位の前後領域のうち少なくとも何れか１つからアクセスする段階と、
前記アクセスされた情報に基づいて保存媒体を作動させる段階とを含むことを特徴とする方法。
【請求項３３】
前記アクセスされた情報に基づいて保存媒体の層を認識する段階を含み、前記保存媒体を作動させる段階は前記層に対してデータを記録及び／または再生する段階を含むことを特徴とする請求項３２に記載の方法。
【請求項３４】
前記層を認識する段階は、所定グループのアドレスに属するアクセスされた情報に反応して層を認識する段階を含むことを特徴とする請求項３３に記載の方法。
【請求項３５】
前記アクセスされた情報が属する範囲に基づいて保存媒体の所望する層を確認する段階をさらに含むことを特徴とする請求項３２に記載の方法。
【請求項３６】
前記所望する層を確認する段階は、
所定範囲に属するアクセスされた情報に反応して。前記保存媒体の保存層を所望の層と認識する段階と、
前記所定範囲に属していないアクセスされた情報に反応して、アクセスされた情報が所定範囲に属しているか否かを決定するように前記保存媒体の異なる保存層にアクセスする段階とを含むことを特徴とする請求項３５に記載の方法。
【請求項３７】
前記保存媒体を作動させる段階は、所望の層に対してデータを記録及び／または再生する段階を含むことを特徴とする請求項３６に記載の方法。
【請求項３８】
前記保存媒体の保存層を確認する段階を含み、前記保存層認識段階は、第１所定範囲に属するアクセスされた情報に反応して保存層の第１層を認識する段階と、前記第１所定範囲に属していないアクセスされた情報に反応してアクセスされた情報が第２所定範囲に属しているか否かを決定するように保存層の第２層にアクセスする段階と、前記第２所定範囲に属するアクセスされた情報に反応して保存層の第２層を認識する段階と、前記第２所定範囲に属していない第２層のアクセスされた情報に反応して前記アクセスされた情報が前記第２所定範囲に属しているか否かを決定するように保存層の他の層にアクセスする段階とを含むことを特徴とする請求項３２に記載の方法。
【発明の詳細な説明】
【技術分野】
【０００１】
本発明は情報保存媒体及びその記録及び／または再生方法に係り、詳細には、ユーザデータ領域の基本記録単位の内側及び／または外側にユーザデータ領域に関する情報が記録された情報保存媒体及びその記録及び／または再生方法に関する。
【背景技術】
【０００２】
一般に、情報保存媒体は、非接触式で情報を記録／再生する光ピックアップ装置の情報記録媒体に広く採用され、情報保存媒体の一種である光ディスクは情報記録容量によってコンパクトディスク（ＣＤ）、デジタル多機能ディスク（ＤＶＤ）に区分される。そして、記録、消去及び再生が可能な光ディスクとしては、６５０ＭＢ  ＣＤ−Ｒ、ＣＤ−ＲＷ、４．７ＧＢ  ＤＶＤ＋ＲＷなどがある。また、記録容量が２０ＧＢ以上であるＨＤ−ＤＶＤも開発されている。
【０００３】
前述したような一般の光ディスクは、図１に示されたように、光ディスクの内周Ｒｉｎ側から外周Ｒｏｕｔ側に順次に備えられたリードイン領域（Ｂ）、ユーザデータ領域（Ａ）及びリードアウト領域（Ｃ）を含む。そして、このように構成された光ディスクは内周Ｒｉｎから外周Ｒｏｕｔ側に行きつつ、セクターアドレスが増加する構造を有する。ここで、前記データ領域（Ａ）には、複数のエラー訂正コード（ＥＣＣ）ブロックが備えられている。
【０００４】
記録可能な光ディスクを説明すれば、図２に示されたように、毎ＥＣＣブロックのアドレス情報はグルーブウォッブリングで記録されている。これは、データを記録／再生する時、基本記録単位の物理的アドレス順序に関係なく、ランダムに記録または再生されるからである。特に、物理的アドレスがウォッブリング記録されている場合には、ユーザデータ領域に関する情報も共にグルーブにウォッブリング記録されうる。一方、前記記録可能な光ディスクは一層の光ディスクとして、層情報を含んでいない。また、後述する再生専用光ディスクとフォーマットの一貫性を保持し難いという問題点がある。
【０００５】
再生専用の光ディスクを説明すれば、図３に示されたように、毎ＥＣＣブロックは０セクターから１５セクターまで総１６個のセクターより構成されており、このＥＣＣブロックをなす各セクターの先頭にセクターアドレス（ＳＡ）が記録されている。すなわち、前述したように構成された光ディスクはユーザデータ領域内のＥＣＣブロックにユーザデータに関する情報、すなわち、アドレス情報が記録されている。
【０００６】
一方、この再生専用光ディスクは、後述する記録可能な光ディスクとは違ってユーザ領域にグルーブが存在していないために、記録可能な光ディスクとは異なる方式でユーザデータ領域に関する情報を記録することが要求されている。
【０００７】
また、前述したような光ディスクはだんだんと記録容量が増加する方向に開発されている。記録容量を増加させるための代表的な方法としては、記録光源の波長を短波長化し、対物レンズの開口数を高開口数化する方法がある。その他に情報保存層を多層に構成する方法がある。
【０００８】
多層の情報保存層を有するＤＶＤ−ＲＯＭについては、米国特許第５，８８１，０３２号（発明の名称：Ｏｐｔｉｃａｌ  ｄｉｓｋ、ａｎｄ  ｏｐｔｉｃａｌ  ｄｉｓｋ  ｒｅｐｒｏｄｕｃｔｉｏｎ  ｍｅｔｈｏｄ  ａｎｄ  ａｐｐａｒａｔｕｓ  ｉｍｐｌｅｍｅｎｔｉｎｇ  ａ  ｍａｔｈｅｍａｔｉｃａｌ  ｃｏｍｐｌｅｍｅｎｔａｒｙ  ｒｅｌａｔｉｏｎｓｈｉｐ  ｆｏｒ  ｐｌｕｒａｌ  ｌａｙｅｒｓ）に開示されている。
【０００９】
この開示された２層情報保存層を有する光ディスクのセクターアドレス構造が、図４Ａに示されている。図４Ａを参照すれば、光ディスクには第１情報保存層Ｌ１と第２情報保存層Ｌ２とが備えられている。そして、各情報保存層には、リードイン領域１ａ、２ａとリードアウト１ｂ、２ｂが備えられる。前記第１情報保存層Ｌ１では、光ディスクの内周Ｒｉｎから外周Ｒｏｕｔ側に行きつつ、セクターアドレスＸが増加し、第２情報保存層Ｌ２では光ディスクの外周Ｒｏｕｔから内周Ｒｉｎへ行きつつセクターアドレスＸ’が増加する。
【００１０】
一方、２層以上の情報保存層を有する多層光ディスクは、ディスクに記録された情報を再生する方向によって、ＯＴＰ（Ｏｐｐｏｓｉｔｅ  Ｔｒａｃｋ  Ｐａｔｈ）タイプとＰＴＰ（Ｐａｒａｌｌｅｌ  Ｔｒａｃｋ  Ｐａｔｈ）タイプとに分けられる。ＯＴＰは、図４Ｂに示されたように前記第１情報保存層Ｌ１の内周Ｒｉｎから外周Ｒｏｕｔ方向に再生が行われ、次いで、第２情報保存層Ｌ２の外周Ｒｏｕｔから内周Ｒｉｎ方向に再生が行われる。言い換えれば、トラックスパイラル方向が各情報保存層Ｌ１、Ｌ２毎に交互に反対方向に形成される類型をいう。
【００１１】
また、図４Ｃは、ＯＴＰの場合に第１ないし第４情報保存層Ｌ１、Ｌ２、Ｌ３、Ｌ４を有する多層情報保存媒体を示した図面である。ここで、前記第１ないし第４情報保存層Ｌ１、Ｌ２、Ｌ３、Ｌ４には光ディスクの内周領域と外周領域とに交互に第１ないし第４リードイン領域１ａ、２ａ、３ａ、４ａと第１ないし第４リードアウト領域１ｂ、２ｂ、３ｂ、４ｂとが備えられる。このような４層光ディスクの再生方向を見ると、第１情報保存層Ｌ１の内周Ｒｉｎから外周Ｒｏｕｔに、第２情報保存層Ｌ２の外周Ｒｏｕｔから内周Ｒｉｎに、第３情報保存層Ｌ３の内周Ｒｉｎから外周Ｒｏｕｔに、次いで第４情報保存層Ｌ４の外周Ｒｏｕｔから内周Ｒｉｎに再生される。
【００１２】
図５は、ＰＴＰ類型の２層光ディスクを示したものであって、第１情報保存層Ｌ１の内周Ｒｉｎから外周Ｒｏｕｔ側に情報が再生され、次いで第２情報保存層Ｌ２の内周から外周Ｒｏｕｔ側に情報が再生される。言い変えれば、トラックスパイラル方向が各情報保存層毎に同一に形成された場合を言う。ここで、前記第１情報保存層Ｌ１の内周側に第１リードイン領域１ａが、外周側に第１リードアウト領域１ｂが備えられ、前記第２情報保存層Ｌ２の内周側に第２リードイン領域２ａが、外周側に第２リードアウト領域２ｂが備えられる。
【００１３】
リードイン領域１ａ、２ａ、３ａ、４ａ及びリードアウト領域１ｂ、２ｂ、３ｂ、４ｂには光ディスクに関する情報が記録されており、記録可能な光ディスクの場合、記録に関連された色々な条件が共に記録される。したがって、これらリードイン領域とリードアウト領域とに記録された情報を再生して初めてユーザデータを正常に記録／再生しうる。特に、複数の情報保存層を備えた情報保存媒体の場合に、情報保存層の数に関する情報が記録されており、このような層数に関する情報は各情報保存層毎に記録されている。したがって、如何なる層の情報を読んでも何層の情報保存層より構成されているかが分かる。
【００１４】
一方、記録可能な情報保存媒体の場合には、データ記録時に必要な情報保存層に関する情報がユーザデータ領域に記録されねばならない。なぜなら、データの記録／再生時、基本記録単位の物理的アドレス順に関係なく、ランダムに記録または再生がなされうるからである。特に、物理的アドレスがウォッブリング記録されている場合には、情報保存層に関した情報も共にグルーブにウォッブリング記録されうる。この時にはデータの記録または再生時にプッシュプルチャンネル信号に情報保存層に関する情報を読込める。
【００１５】
ところで、再生専用の情報保存媒体は、ユーザデータ領域にグルーブウォッブルが形成されていないために、前記のような記録可能な情報保存媒体とは違った新たな方法で情報保存層についての情報を記録することが要求される。
【発明の開示】
【発明が解決しようとする課題】
【００１６】
本発明は前記問題点を勘案して案出されたものであって、ユーザデータ領域の物理的なアドレスを用いてユーザデータ領域に関する情報を読込み可能にするか、ユーザデータの基本記録単位の前または後にユーザデータ領域に関する情報を記録して、それに関する情報を提供可能になった情報保存媒体及びその記録及び／または再生方法を提供するところにその目的がある。
【課題を解決するための手段】
【００１７】
前記目的を達成するために本発明に係る情報保存媒体は、ユーザデータが記録されるユーザデータ領域の前後にある領域のうち少なくとも何れか１つに前記ユーザデータ領域に関する情報が記録されたことを特徴とする。
【００１８】
前記ユーザデータ領域の基本記録単位は、物理的クラスター、ＥＣＣブロック、セクター及びフレームのうち何れか１つであることが望ましい。また、ユーザデータ領域に関する情報は、前記物理的クラスターの前後に備えられるランイン及びランアウトのうち少なくとも何れか１つに記録されることが望ましい。
【００１９】
また、前記情報保存媒体は、２層以上の情報保存層を備え、この場合、前記ユーザデータ領域の前後にある領域のうち少なくとも何れか１つに記録されるパターンが前記情報保存層各々に対して相異なって形成されることが望ましい。
【００２０】
前記目的を達成するために、本発明に係る情報保存媒体の記録及び／または再生方法は、ユーザデータが記録されるユーザデータ領域の前後の領域のうち少なくとも何れか１つに記録されたユーザデータ領域に関する情報を再生する段階と、前記再生された情報を用いてユーザデータ領域に関する情報を認識する段階とを含むことを特徴とする。
【発明を実施するための最良の形態】
【００２１】
まず、本発明に係る情報保存媒体は、記録可能な情報保存媒体だけでなく、再生専用の情報保存媒体にも適用されうる。
【００２２】
記録可能な情報保存媒体は、単層または２層以上の情報保存層を含み、各情報保存層にはリードイン領域、ユーザデータ領域及びリードアウト領域が備えられる。
【００２３】
図６を参照するに、リードイン領域とリードアウト領域のうち少なくとも何れか１つの領域には再生専用データゾーン１０、再記録可能なデータゾーン３０及び、前記再生専用データゾーン１０と再記録可能なゾーン２０とを連結するコネクションゾーン２０が備えられる。
【００２４】
再生専用データゾーン１０には、ピット形態または高周波グルーブウォッブル形態で情報保存媒体についての基本的な情報が記録される。この再生専用データゾーン１０には、情報保存媒体の大きさ、バージョン番号、記録条件などが記録される情報保存媒体関連情報ゾーン１０ａが備えられる。
【００２５】
コネクションゾーン２０には、再生専用データゾーン１０と再記録可能なデータゾーン３０とを連結するトランジッションゾーンが備えられうる。このコネクションゾーン２０は、ミラーゾーンまたはウォッブルグルーブゾーンより構成されうる。
【００２６】
一方、再記録可能なデータゾーン３０には、情報保存媒体テストゾーン３０ａ、ドライブテストゾーン３０ｂ、情報保存媒体コントロールデータゾーン３０ｃ及び欠陥管理ゾーン３０ｄなどが備えられうる。また、情報保存媒体コントロールデータゾーン３０ｃには、情報保存媒体コントロール関連情報が記録される少なくとも１つ以上の情報保存媒体コントロール領域が備えられる。ここでは、例えば、第１ないし第４情報保存媒体コントロール領域３０ｃ−１、３０ｃ−２、３０ｃ−３、３０ｃ−４が備えられた場合を例示した。その他に、予定されてはいないが、以後に他の情報が記録されうる余裕領域として少なくとも１つの保留領域３０ｃ−５、３０ｃ−６がさらに備えられうる。そして、ユーザデータ領域は、例えば、グルーブウォッブルで形成されうる。
【００２７】
一方、再生専用情報保存媒体は、少なくとも一層の情報保存層を含み、各情報保存層は、図７に示されたように、リードイン領域４０、ユーザデータ領域４３及びリードアウト領域４５を具備する。ここで、リードイン領域４０及び／またはリードアウト領域４５に情報保存媒体関連情報のような再生専用データが記録され、ユーザデータ領域４３に再生専用のユーザデータが記録される。
【００２８】
リードイン領域４０及びリードアウト領域４５には、グルーブトラック４７とランドトラック４８とが交互に形成されている。そして、前記情報保存媒体関連情報のような再生専用データがグルーブトラック４７またはランドトラック４８の両側壁にウェーブ形態の高周波グルーブウォッブル４９で記録されている。この高周波グルーブウォッブル４９で記録された部分を高周波データゾーンという。
【００２９】
また、前記ユーザデータは、情報保存媒体の基板製造時にピット５０の形に記録される。このような情報保存媒体は一種のハイブリッドディスクであり、再生チャンネルが相異なって構成される。特に、前記記録可能な情報保存媒体でリードイン領域の再生専用データは、プッシュプルチャンネルを用いて再生し、ユーザデータはサムチャンネルを用いて再生するような再生専用情報保存媒体でも、前記リードイン領域はプッシュプルチャンネルで再生され、前記ユーザデータ領域はサムチャンネルで再生されうる。このような側面で記録可能な情報保存媒体と再生専用情報保存媒体との一貫性を確保しうる。
【００３０】
前記のような構造よりなる記録可能な情報保存媒体または再生専用情報保存媒体で、ユーザデータ領域に関する情報、例えば、情報保存層が単層か多層か、及び、多層である場合に何番目の情報保存層に対して情報の再生を行うかに関する情報を知る方法には次のようなものがある。
【００３１】
一般的に、ユーザデータ領域には、データが記録される基本記録単位毎に物理的アドレスが記録される。
【００３２】
二層の情報保存層を有する情報保存媒体を例として第１実施例に係る方法を説明する。この場合、第１情報保存層には物理的アドレスが０から３００００番まで記録され、第２情報保存層では３０００１から６００００まで記録されうる。ここで、この物理的アドレスにより、情報保存層の層数を検出させうる。すなわち、データの記録／再生のためにピックアップが光ディスクに接近する度に各基本記録単位の物理的アドレスを再生するようになるが、この時、物理的アドレスが０から３００００範囲内にあれば、第１情報保存層であると、物理的アドレスが３０００１から６００００範囲内にあれば、第２情報保存層であると認識するように定めうる。
【００３３】
図８は、一層以上の情報保存層を有する情報保存媒体における第１情報保存層Ｌ１を探す順序を示す。
【００３４】
まず、情報保存媒体を光記録再生用ドライブのターンテーブルにローディングし（Ｓ１００）、光ピックアップ装置により情報保存媒体関連情報を再生する（Ｓ１１０）。次いで、情報保存媒体にデータを記録または再生するために所定の記録／再生層に移動する（Ｓ１２０）。この移動した所定層にアクセスしてフォーカシング及びトラッキングを行った後、該当領域のアドレスを再生する。そして、このアドレスが所定の範囲内にあるかどうかを判断する（Ｓ１３０）。例えば、前述した場合と同様にアドレスが０から３００００範囲内にあるかどうかを判断し、その範囲内にあれば、第１情報保存層Ｌ１と認識し、データの記録または再生が進められる（Ｓ１４０）。ところが、アドレスが０から３００００範囲内にない時には、光ピックアップによって形成される光スポットの位置が他の層に移動し（Ｓ１５０）、前記のような過程、すなわち、アドレスが所定の範囲内にあるかどうかを判断する過程を反復する（Ｓ１６０）。すなわち、アドレスが所定範囲内にあるかどうかを判断して、該当すれば、記録または再生が行われ、そうでなければ、さらに他の層に移動する。このような過程を反復することによって、第１情報保存層Ｌ１を探し出せる。
【００３５】
図９は、第１及び第２情報保存層Ｌ１、Ｌ２を備えた情報保存媒体における第１情報保存層Ｌ１と第２情報保存層Ｌ２とを探す過程を示す。
【００３６】
まず、情報保存媒体を光記録再生用ドライブのターンテーブルにローディングし（Ｓ１１００）、光ピックアップ装置により情報保存媒体関連情報を再生する（Ｓ１１１０）。次いで、光ディスクにデータを記録または再生するために所定記録／再生層に移動する（Ｓ１１２０）。この移動した所定層にアクセスしてフォーカシング及びトラッキングを行った後、該当領域のアドレスを再生する。そして、このアドレスが所定の範囲内にあるかどうかを判断する（Ｓ１１３０）。ここで、アドレスが０から３００００範囲内にあるかどうかを判断し、その範囲内にあれば、第１情報保存層Ｌ１と認識し、データの記録または再生が進められる（Ｓ１１４０）。アドレスが前記範囲内にない時には、光スポットが他の層に移動する（Ｓ１１５０）。
【００３７】
次いで、アドレスが所定の範囲、例えば、３０００１−６００００範囲内にあるかどうかを判断し（Ｓ２２１０）、この範囲内にあれば、第２情報保存層Ｌ２と認識し、この情報保存層に対してデータの記録または再生を行う（Ｓ２２２０）。
【００３８】
ここでは、第１及び第２情報保存層を備えた場合について説明したが、それ以上の情報保存層より構成された場合にも同じ方法で情報保存層に関する情報を提供しうる。
【００３９】
次いで、第２実施例としてデータが記録される基本記録単位の前後領域のうち少なくとも何れか１つにユーザデータ領域に関する情報、例えば、層情報を記録する方法がある。データが記録される基本記録単位としては、物理的クラスター、ＥＣＣブロック、セクター、フレームなどがあり、その容量が制限される必要はない。
【００４０】
図１０は、複数のセクターより構成された毎ＥＣＣブロックの外部、すなわち、ＥＣＣブロックの内側及び／または外側にユーザデータ領域に関する情報をアドレス情報として記録した図面である。ここで、内側及び／または外側に記録されたユーザデータに関する情報は、前記ＥＣＣブロックアドレスである。このＥＣＣブロックアドレスは、情報保存媒体の層数が何層かを示す層情報を含むことが望ましい。すなわち、層情報はアドレスを用いて記録される。
【００４１】
図１１Ａは、物理的クラスターにデータが記録される場合を示したものであって、この図面を参照すれば、物理的クラスターの前後に各々付加的なデータを記録するランインとランアウトとが備えられる。図１１Ｂは、物理的クラスターが連続して構成された場合を示す図面である。ここで、前記ランインとランアウトのうち少なくとも１箇所にユーザデータ領域に関する情報、例えば層情報を記録しうる。特に、再生専用情報保存媒体においてこのような方法を適用することによって、記録可能な情報保存媒体とフォーマット一貫性を確保しうるという点で望ましい。
【００４２】
第３実施例に係る情報保存媒体は、少なくとも２層の情報保存層を含む情報保存媒体に関するものであって、前記ランイン及びランアウトのうち少なくとも１箇所に層毎にパターンを異ならせて各情報保存層に関する層情報を示し得る。
【００４３】
例えば、２層の情報保存層を有する情報保存媒体で第１情報保存層Ｌ１にはマークまたはピットとスペース間隔が５Ｔ／５Ｔ／５Ｔ／５Ｔのパターンより構成され、第２情報保存層Ｌ２には８Ｔ／８Ｔ／８Ｔ／８Ｔのパターンより構成されうる。このように同じ大きさの連続したパターンを相異なって構成することによって、情報保存層の層数を認識させうる。
【００４４】
または、第１情報保存層Ｌ１ではマークまたはピットとスペース間隔が２Ｔ／９Ｔ／２Ｔ／９Ｔのパターンより構成され、第２情報保存層Ｌ２では９Ｔ／２Ｔ／９Ｔ／２Ｔのパターンより構成されうる。このように相異なる大きさのパターンをランダムに構成して情報保存層の層数を認識させうる。
【００４５】
前記方法によれば、ユーザデータ領域の基本単位の前後に備えられた領域、例えば、ランイン及びランアウトのうち少なくとも１箇所に層毎に異なって区別されるパターンを形成することによって、容易に情報保存層の層数が分かる。前記基本記録単位は、例えば、物理的クラスター、ＥＣＣブロック、セクター及びフレームのうち何れか１つで有り得る。
【産業上の利用可能性】
【００４６】
前述したように、本発明に係る情報保存媒体及びその記録及び／または再生方法は、ユーザデータ領域に関する情報、例えば情報保存媒体が単層か多層かに関する情報と、多層である場合に何層に該当するかに関する情報を提供できる多様な方法を提示することによって、グルーブウォッブルのない場合にも効率よくユーザデータ領域に関する情報を用いて記録及び／または再生可能にする。これはグルーブウォッブルのない再生専用の情報保存媒体に対して非常に有効に適用されて信頼性あるデータの再生を可能にする。また、記録可能な情報保存媒体についてもユーザデータ領域に関する情報をグルーブウォッブルに記録する方法以外の新たな方法で記録しうる多様な方法を提供する。
【００４７】
本発明の幾つかの実施例が図示されて説明されたが、本発明の原理と思想から外れない範囲内で、そして特許請求の範囲及びその均等な範囲内で当業者により変更が行われ得る。
【図面の簡単な説明】
【００４８】
【図１】一般的な単層光ディスクを示す図である。
【図２】記録可能な光ディスクの１つのＥＣＣブロックのアドレス構造を示す図である。
【図３】再生専用光ディスクの１つのＥＣＣブロックのアドレス構造を示す図である。
【図４Ａ】従来のＤＶＤ−ＲＯＭの２層光ディスクのセクターアドレス構造を示す図である。
【図４Ｂ】従来のＤＶＤ−ＲＯＭの２層光ディスクでのＯＴＰの場合に、リードイン及びリードアウト領域の配置構造を示す図である。
【図４Ｃ】従来のＤＶＤ−ＲＯＭの４層光ディスクでのＯＴＰの場合に、リードイン及びリードアウト領域の配置構造を示す図である。
【図５】従来のＤＶＤ−ＲＯＭの２層光ディスクでのＰＴＰの場合にリードイン及びリードアウト領域の配置構造を示す図である。
【図６】本発明の関連技術であって、記録可能な情報保存媒体のリードイン領域またはリードアウト領域のデータ構造を示す図である。
【図７】本発明の関連技術であって、再生専用情報保存媒体の全体的な構造を概略的に示す図である。
【図８】本発明の一実施例に係る情報保存媒体の記録及び／または再生方法を示す順序図である。
【図９】本発明の他の実施例に係る情報保存媒体の記録及び／または再生方法を示す順序図である。
【図１０】本発明の実施例に係る情報保存媒体の１つのユーザデータ領域の基本記録単位についてのユーザデータ領域に関する情報が記録されたことを示す図である。
【図１１Ａ】本発明に係る情報保存媒体の１つの記録単位を示す図である。
【図１１Ｂ】記録単位が連続して構成された場合を示す図である。
【図１】
2005531872.tif 000003
【図２】
2005531872.tif 000004
【図３】
2005531872.tif 000005
【図４Ａ】
2005531872.tif 000006
【図４Ｂ】
2005531872.tif 000007
【図４Ｃ】
2005531872.tif 000008
【図５】
2005531872.tif 000009
【図６】
2005531872.tif 000010
【図７】
2005531872.tif 000011
【図８】
2005531872.tif 000012
【図９】
2005531872.tif 000013
【図１０】
2005531872.tif 000014
【図１１Ａ】
2005531872.tif 000015
【図１１Ｂ】
2005531872.tif 000016
【国際調査報告】
2005531872.tif 000017